(57)【要約】【課題】  受験して不合格となった受験者に対してその試験についての勉強を効果的に行うことができる教育支援システムを提供すること。【解決手段】  試験を管理するための管理用コンピュータ４と、管理用コンピュータ４にネットワーク網を介して通信接続された受験者用端末装置と、各種情報が登録されたサーバ１６と、を備えた教育支援システム。サーバ１６は、試験問題が登録された試験問題データベース６０と、試験解答が登録された試験解答データベース６２と、解答解析情報が登録された解答解析データベース６４とを有している。また、管理用コンピュータ４は、受験解答を採点するための受験解答採点手段３２と、受験解答採点手段３２による採点結果に基づいて合否を判定するための合否判定手段３４と、採点結果に基づいて試験結果を解析するための試験結果解析手段３８とを備えている。【選択図】  図２
2005164810.tif 000002
【特許請求の範囲】
【請求項１】
試験を管理するための管理用コンピュータと、前記管理用コンピュータにネットワーク網を介して通信接続された受験者用端末装置と、前記管理用コンピュータにより管理される各種情報が登録されたサーバと、を備え、
前記サーバは、試験問題が登録された試験問題データベースと、試験解答が登録された試験解答データベースと、解答解析情報が登録された解答解析データベースとを有しており、
前記管理用コンピュータは、試験問題を選定するための試験問題選定手段と、試験問題に対応する試験解答を選定するための試験解答選定手段と、受験解答を採点するための受験解答採点手段と、前記受験解答採点手段による採点結果に基づいて合否を判定するための合否判定手段と、前記受験解答採点手段による採点結果に基づいて試験結果を解析するための試験結果解析手段と、解答解析情報を選定するための解答解析情報選定手段とを備えており、
前記試験問題選定手段は特定受験者の受験情報に基づいて前記試験問題データベースから特定試験問題を選定し、前記試験解答選定手段は前記特定試験問題に対応する特定試験解答を前記試験解答データベースから選定し、前記受験解答採点手段は前記特定受験者が入力した前記特定試験問題の受験解答と前記特定試験解答に基づいて前記特定試験問題の採点を行い、前記合否判定手段は前記受験解答採点手段による採点が合格基準得点以上であると合格と判定し、前記合格基準点未満であると不合格と判定し、
前記合否判定手段が不合格と判定した場合、前記試験結果解析手段は前記受験解答採点手段による採点結果に基づいて特定試験問題における弱点個所を解析し、前記解答解析情報選定手段は、前記試験結果解析手段による解析結果に基づいて、特定試験問題における弱点個所を指摘する解答解析情報を前記解答解析データベースから選定することを特徴とする教育支援システム。
【請求項２】
前記管理用コンピュータはカリキュラム情報を選定するためのカリキュラム情報選定手段を含み、前記サーバはカリキュラム情報が登録されたカリキュラム情報データベースを含み、前記カリキュラム情報選定手段は、前記試験結果解析手段による解答解析情報に基づいて前記カリキュラム情報データベースから特定カリキュラム情報を選定することを特徴とする請求項１に記載の教育支援システム。
【請求項３】
前記管理用コンピュータは推奨試験情報を選定するための推奨試験情報選定手段を含み、前記サーバは推奨試験情報が登録された推奨試験データベースを含んでおり、前記合否判定手段が合格と判定した場合、前記推奨試験情報選定手段は、合格した特定試験に基づいて、次に受験することを推奨する特定推奨試験情報を前記推奨試験データベースから選定することを特徴とする請求項１又は２に記載の教育支援システム。
【請求項４】
前記サーバは、更に、受験者の受験履歴を登録する受験履歴データベースを含み、前記推奨試験情報選定手段は、特定受験者の受験履歴及び合格した特定試験に基づいて、次に受験することを推奨する特定推奨試験情報を前記推奨試験データベースから選定することを特徴とする請求項３に記載の教育支援システム。
【請求項５】
前記管理用コンピュータは試験を管理する管理センターに設置され、前記受験者用端末装置は試験校に設置された試験校端末装置及び／又は受験者所有の個人端末装置であることを特徴とする請求項１〜４のいずれかに記載の教育支援システム。
【発明の詳細な説明】
【技術分野】
【０００１】
本発明は、資格試験、検定試験などの試験のための勉強を支援するための教育支援システムに関する。
【背景技術】
【０００２】
従来から、例えばワープロなどのデータ入力を検定する検定システムが提案されている（例えば、特許文献１参照）。この検定システムでは、文字、記号などからなる問題文データをキーボードなどの入力手段で入力し、入力手段で入力された入力文データと解答文データとを対比し、解答文が正しいか間違っているかを判定してデータ入力の熟練度を検定するように構成されている。検定に際し、余分文字の判定については第１基準として余分文字数をカウントし、脱字の判定については第２基準として脱字数をカウントし、誤字については第３基準として誤字数をカウントし、余分文字数、脱字数及び誤字数に基づいて間違い総数を演算し、この間違い総数に基づいてデータ入力の熟練度の検定を行っている。
【０００３】
【特許文献１】特開２００１−５１５２８号公報
【発明の開示】
【発明が解決しようとする課題】
【０００４】
上述した検定システムは、入力文データと解答文データとを対比してデータ入力の熟練度を検定するシステムであるために、熟練度の検定は行うことができるが、どのような入力練習を行えば効率的なレベルアップを図ることができるかが判らず、目標なしに単に入力練習を行うのみであった。
【０００５】
例えば資格試験、検定試験などの試験をコンピュータを用いて行う場合にも同様の問題があり、受験者が受けた試験問題についての受験解答データとその試験問題の試験解答データとを対比して採点することによって、その受験者の合否を判定することができるが、例えば、その試験問題に不合格であった受験者は再度その試験を受けなければならないが、そのときの勉強方法などは各自が考えなければならなかった。受験のための効率的な勉強方法が判れば目標も明確になり、またそのようなカリキュラムがあればそれを利用することによって効率的な勉強を行うことができ、短期間に勉強することによって、その試験に合格できるようになり、受験者のレベルアップを効果的に行うことができる。
【０００６】
本発明の目的は、受験して不合格となった受験者に対してその試験についての勉強を効果的に行うことができる教育支援システムを提供することである。
本発明の他の目的は、受験して合格した受験者に対して次のレベルアップを支援することができる教育支援システムを提供することである。
【課題を解決するための手段】
【０００７】
本発明の請求項１に記載の教育支援システムは、試験を管理するための管理用コンピュータと、前記管理用コンピュータにネットワーク網を介して通信接続された受験者用端末装置と、前記管理用コンピュータにより管理される各種情報が登録されたサーバと、を備え、
前記サーバは、試験問題が登録された試験問題データベースと、試験解答が登録された試験解答データベースと、解答解析情報が登録された解答解析データベースとを有しており、
前記管理用コンピュータは、試験問題を選定するための試験問題選定手段と、試験問題に対応する試験解答を選定するための試験解答選定手段と、受験解答を採点するための受験解答採点手段と、前記受験解答採点手段による採点結果に基づいて合否を判定するための合否判定手段と、前記受験解答採点手段による採点結果に基づいて試験結果を解析するための試験結果解析手段と、解答解析情報を選定するための解答解析情報選定手段とを備えており、
前記試験問題選定手段は特定受験者の受験情報に基づいて前記試験問題データベースから特定試験問題を選定し、前記試験解答選定手段は前記特定試験問題に対応する特定試験解答を前記試験解答データベースから選定し、前記受験解答採点手段は前記特定受験者が入力した前記特定試験問題の受験解答と前記特定試験解答に基づいて前記特定試験問題の採点を行い、前記合否判定手段は前記受験解答採点手段による採点が合格基準得点以上であると合格と判定し、前記合格基準点未満であると不合格と判定し、
前記合否判定手段が不合格と判定した場合、前記試験結果解析手段は前記受験解答採点手段による採点結果に基づいて特定試験問題における弱点個所を解析し、前記解答解析情報選定手段は、前記試験結果解析手段による解析結果に基づいて、特定試験問題における弱点個所を指摘する解答解析情報を前記解答解析データベースから選定することを特徴とする。
【０００８】
また、本発明の請求項２に記載の教育支援システムでは、前記管理用コンピュータはカリキュラム情報を選定するためのカリキュラム情報選定手段を含み、前記サーバはカリキュラム情報が登録されたカリキュラム情報データベースを含み、前記カリキュラム情報選定手段は、前記試験結果解析手段による解答解析情報に基づいて前記カリキュラム情報データベースから特定カリキュラム情報を選定することを特徴とする。
【０００９】
また、本発明の請求項３に記載の教育支援システムでは、前記管理用コンピュータは推奨試験情報を選定するための推奨試験情報選定手段を含み、前記サーバは推奨試験情報が登録された推奨試験データベースを含んでおり、前記合否判定手段が合格と判定した場合、前記推奨試験情報選定手段は、合格した特定試験に基づいて、次に受験することを推奨する特定推奨試験情報を前記推奨試験データベースから選定することを特徴とする。
【００１０】
また、本発明の請求項４に記載の教育支援システムでは、前記サーバは、更に、受験者の受験履歴を登録する受験履歴データベースを含み、前記推奨試験情報選定手段は、特定受験者の受験履歴及び合格した特定試験に基づいて、次に受験することを推奨する特定推奨試験情報を前記推奨試験データベースから選定することを特徴とする。
【００１１】
また、本発明の請求項５に記載の教育支援システムでは、前記管理用コンピュータは試験を管理する管理センターに設置され、前記受験者用端末装置は試験校に設置された試験校端末装置及び／又は受験者所有の個人端末装置であることを特徴とする。
【発明の効果】
【００１２】
本発明の請求項１に記載の教育支援システムによれば、管理用コンピュータは、試験問題選定手段、試験解答選定手段、受験解答採点手段、合否判定手段、試験問題解析手段及び解答解析情報選定手段を含み、またサーバは試験問題データベース、試験解答データベース及び解答解析データベースを有している。特定受験者が特定試験を受けるためにその受験情報を受験者用端末装置を操作して入力すると、試験問題選定手段は、その受験情報に基づいて試験問題データベースから該当する特定試験問題を選定し、特定受験者はこの特定試験問題を受験するようになる。試験終了後は、試験解答選定手段はこの特定試験問題に対応する特定試験解答を試験解答データベースから選定し、受験解答採点手段は特定受験者の受験解答と特定試験解答に基づいて特定試験問題の採点を自動的に行い、合否判定手段は試験の合否判定を行う。合格基準得点が例えば６５点とすると、合格判定手段は、受験解答採点手段による採点が６５点（合格基準得点）点以上であると合格と判定し、その採点が６５点未満であると不合格と判定する。
【００１３】
このようにして不合格と判定された場合、特定受験者は再度試験を受けて合格しなければ資格などを得ることができない。不合格の受験者が効率良く勉強できるために、試験結果解析手段は受験解答採点手段による採点結果に基づいて特定試験問題におけるその特定受験者の弱点個所を解析し、解答解析情報選定手段は、試験結果解析手段による解析結果に基づいて、特定試験問題における弱点個所、即ち充分に理解していない分野を示す解答解析情報を前記解答解析データベースから選定し、このように選定された特定解答解析情報が不合格の特手受験者に通知される。このように試験問題における弱点個所（即ち、正解でない個所）を解析して解答解析情報として不合格の受験者に知らせるので、受験者はこの情報を見ることによって自分の弱点を容易に知り、次の勉強に生かすことによって、効率的に勉強することができる。尚、試験とは、資格試験、検定試験、認定試験などの各種試験である。
【００１４】
また、本発明の請求項２に記載の教育支援システムによれば、管理用コンピュータはカリキュラム情報選定手段を含み、サーバはカリキュラム情報データベースを含んでいる。不合格の受験者に対する解答解析情報を選定すると、カリキュラム情報選定手段は、この解答解析情報に基づいて、この特定受験問題についての弱点個所を克服するためのカリキュラム情報を選定する。従って、受験者は選定されたカリキュラム情報を勉強することによって弱点個所を克服することができ、不合格になった試験問題について効率良く勉強することができる。
【００１５】
また、本発明の請求項３に記載の教育支援システムによれば、管理用コンピュータは推奨試験情報選定手段を含み、サーバは推奨試験データベースを含んでいる。特定試験に合格した特定受験者については、推奨試験情報選定手段は、合格した特定試験に基づいて、次に受験することを推奨する特定推奨試験情報を推奨試験データベースから選定し、このように選定することによって、合格の受験者についてはレベルアップする目標が明確となり、またそのレベルアップも急激に難しくなることがなく、合格の受験者は意欲を持続しながら勉強をするようになる。
【００１６】
また、本発明の請求項４に記載の教育支援システムによれば、サーバは受験履歴データベースを含んでおり、推奨試験情報選定手段は、特定受験者の受験履歴及び合格した特定試験に基づいて、次に受験することを推奨する特定推奨試験情報を選定するので、選定される特定推奨試験情報は特定受験者の過去の受験履歴を考慮したものとなり、その受験者により合致した推奨試験情報を提供することができる。
【００１７】
また、本発明の請求項５に記載の教育支援システムによれば、試験を運営するシステムとして好都合に適用することができ、管理用コンピュータは試験を管理する管理センターに設置され、受験者用端末装置は受験を行う試験校に、及び／又は受験者の自宅に設置される。例えば、受験の申込みなどは自宅の端末装置を用い、試験などは試験校の端末装置を用いるようなシステムとして、或いは受験の申込み及び試験などを自宅の端末装置（又は、学校の端末装置）を用いるようなシステムとして提供することができる。
【発明を実施するための最良の形態】
【００１８】
以下、添付図面を参照して、本発明に従う教育支援システムの一実施形態について説明する。図１は、本発明に従う試験支援システムの最良の形態を簡略的に示すシステム図であり、図２は、図１のシステムにおける試験管理センターに設置されるシステムコンピュータ及びサーバを簡略的に示すブロック図であり、図３は、図１のシステムにおける試験学校に設置されるパソコンシステム及び記憶装置を簡略的に示すブロック図であり、図４は、図１の教育支援システムにおける受験者の教育支援の全体の流れを示すフローチャートであり、図５は、図４のフローチャートにおける試験の申込みの流れを具体的に示すフローチャートであり、図６は、図４のフローチャートにおける試験の実施の流れを具体的に示すフローチャートであり、図７は、図４のフローチャートにおける訓練校での勉強の流れを具体的に示すフローチャートであり、図８は、図４のフローチャートにおける弱点克服の勉強の流れを具体的示すフローチャートであり、図９は、図８のフローチャートにおけるカリキュラムの勉強の流れを具体的に示すフローチャートであり、図１０は、図４のフローチャートにおける次の推奨試験の案内の流れを具体的に示すフローチャートである。
【００１９】
図１において、この実施形態の教育支援システムは、試験を管理する試験管理センター２、例えば資格試験、検定試験、認定試験などの試験を行う試験管理会社などに設置されるシステムコンピュータ４と、試験を実施する試験学校６、例えば試験管理会社が認定、公認などする試験実施会社、試験実施校などに設置されるパソコンシステム８と、試験の受験を希望する受験者１０の自宅などに設置されるパソコンシステム１２などから構成され、これらシステムコンピュータ４及びパソコンシステム８，１２が、例えばインターネット網１４の如きネットワーク網を介して通信接続される。このネットワーク網は、例えば電話回線網、専用光ファイバ回線網などでもよい。
【００２０】
試験管理センター２とは、例えば資格試験、検定試験、認定試験などの各種試験を管理する管理会社、管理団体などであり、具体的には会計ソフト、文書作成ソフトなどの資格認定を行う会社などである。この試験管理センター２には、システムコンピュータ４に加えて、各種データが登録されるサーバ１６、入力手段１８、表示手段２０及び通信手段２２が設置される。入力手段１８はキーボード、マウスなどから構成され、表示手段２０は液晶表示装置、ＣＲＴなどから構成される。また、システムコンピュータ４は通信手段２２を介してインターネット網１４に接続され、試験校６のパソコンシステム８及び受験者１０のパソコンシステム１２との間で各種データの通信が行われる。
【００２１】
図２も参照して、図示のシステムコンピュータ４は例えばマイクロプロセッサから構成され、各種データを読み出すデータ読出し手段２４、各種データを登録するデータ登録手段２６、各種データを作成するデータ作成手段２８及び各種データを選定するデータ選定手段３０を備えている。また、このシステムコンピュータ４は、受験解答採点手段３２、合否判定手段３４、通知作成手段３６及び試験結果解析手段３８を含んでいる。受験解答採点手段３２は受験者が解答した受験解答と試験問題の試験解答とを対比してその受験者の受験解答を採点し、合否判定手段３４は受験解答採点手段３２による採点結果と合格基準得点とに基づいて合否判定を行い、通知作成手段３６は各種通知、例えば、受験を申し込んだ受験者向けの申込み受理通知、合格した受験者向けの合格通知、不合格である受験者向けの不合格通知などを作成し、また試験結果解析手段３８は不合格の受験者の受験解答結果の解析を行い、どの分野の問題に弱いか（換言すると、正解率が低いのはどの分野か）などの解析を行う。
【００２２】
また、試験管理センター２に設置されるサーバ２には、例えば、次の通りの各種データが登録される。この実施形態では、サーバ１６は、受験情報データベース４０、書式データベース４２、受験者関連データベース４４、試験関連データベース４６、カリキュラム関連データベース４８、試験校データベース５０及び訓練校データベース５２を有している。受験情報データベース４０には各種受験情報が登録され、試験が例えば会計ソフトの資格認定試験である場合、その会計ソフトの資格認定試験の種類（例えば、初級会計、中級会計、上級会計、給与計算、販売計算、インストラクタなど）などの試験情報が登録される。書式データベース４２には各種書式、例えば受験を申し込む際の申込み書式、試験を受ける際の受験の書式、システムによる弱点克服の勉強を申し込む際のカリキュラム申込み書式などが登録されている。受験者関連データベース４４には受験者に関する各種情報が登録される。この受験者関連データベース４４は、受験者データベース５４、受験経歴データベース５６及び勉強経歴データベース５８を含んでいる。受験者データベース４４には、受験者番号、パスワード、名前、住所、年令などの受験者の個人情報が登録され、受験経歴データベース５６には、合格、不合格を含めた受験者の受験履歴が登録され、勉強履歴データベース５８には、訓練校での勉強及びシステムによる弱点克服の勉強の履歴が登録され、受験者の個人情報、受験履歴情報及び勉強履歴情報が例えば受験者番号を利用して相互に関連付けられて登録される。尚、受験履歴については合格した履歴のみを登録するようにしてもよく、また勉強履歴についてはシステムによる弱点克服の勉強の履歴のみを登録するようにしてもよい。
【００２３】
また、試験関連データベース４６は、試験に関連する各種情報が登録される。この試験関連データベース４６は、試験問題データベース６０、試験解答データベース６２及び解答解析データベース６４を含んでいる。試験問題データベース６０には各種の試験問題が登録され、例えば会計ソフトの資格認定試験である場合、その会計ソフトの資格認定試験の種類に応じた多数の試験問題（例えば、初級会計についての多数の試験問題、中級会計についての多数の試験問題、上級会計についての多数の試験問題、給与計算についての多数の試験問題、販売計算についての多数の試験問題、インストラクタについての多数の試験問題）が登録されている。試験解答データベース６２には、試験問題データベース６０に登録された各試験問題に対する試験解答（例えば、初級会計ついての各試験問題に対する試験解答、中級会計についての各試験問題に対する試験解答、上級会計についての各試験問題に対する試験解答、給与計算についての各試験問題に対する試験解答、販売計算についての各試験問題に対する試験解答、インストラクタについての各試験問題に対する試験解答）が登録されている。解答解析データベース６４には、試験問題の出題分野に基づいて作成された各種弱点コメントが登録されている。
【００２４】
また、カリキュラム関連データベース４８には、カリキュラムに関連する各種情報が登録されている。このカリキュラム関連データベース４８は、カリキュラム情報データベース６８、模擬試験データベース７０、模擬試験解答データベース７２及び受講進捗データベース７４を含んでいる。カリキュラムデータベース６８には各種試験に対応した分野ごとのカリキュラム情報（例えば、初級会計の各分野についてのカリキュラム、中級会計の各分野についてのカリキュラム、上級会計の各分野についてのカリキュラム、給与計算の各分野についてのカリキュラム、販売計算の各分野についてのカリキュラム、インストラクタの各分野についてのカリキュラム）が登録されている。また、模擬試験データベース７０には、登録された各カリキュラムに対応する模擬試験が登録されており、後述するように、カリキュラムによる勉強が一応終わった段階で実施する模擬試験が登録される。また、模擬試験解答データベース７２には、模擬試験データベース７０に登録された各模擬試験に対する模擬試験解答が登録されている。更に、受講進捗データベース７４には、カリキュラムによる勉強を行うときの進捗状況が登録され、カリキュラムのどこまで勉強したかを把握することができる。
【００２５】
また、試験校データベース５０には、試験を受けることができる試験校に関する情報、例えば試験校の住所、地図、学校の特徴などが登録されており、また訓練校データベース５２には訓練校７８（図１参照）に関する情報、例えば訓練校の住所、地図、学校の特徴、講師に関する情報などが登録されている。
【００２６】
このサーバ１６は、更に、受講課目情報データベース７３、カリキュラム情報データベース７５及び推奨試験データベース７７を含んでいる。受講課目情報データベース７３には、受験者１０の理解不足の分野と受講課目との関連などの情報が登録され、カリキュラム情報データベース７５には、受験者１０の理解不足の分野と弱点克服のカリキュラムとの関連などの情報が登録され、また推奨試験データベース６６には、受験者の能力のステップアップに望ましい次の試験についての推奨試験情報が登録されている。
【００２７】
次に、図１及び図３を参照して、試験校６について説明すると、そのパソコンシステム８は、試験管理センター２のシステムコンピュータ４と同様に、通信手段８２を介してインターネット網１４に接続される。このパソコンシステム８には、外部記憶装置８３が設けられているとともに、受験者が試験などで使用するパソコンシステム８４ａ，８４ｂ，８４ｃがＬＡＮなどを介して接続されている。
【００２８】
パソコンシステム１２は、パソコン本体８６、入力手段８８、表示手段９０及び印刷手段９２から構成され、印刷手段９２は例えばレーザープリンタなどから構成される。パソコン本体８６は、各種データを読み出すためのデータ読出し手段９４と、各種データを登録するためデータ登録手段９６と、各種データを作成するデータ作成手段９８と、各種データを記録する記憶手段１００とを有し、データ読出し手段９４、データ登録手段９６及びデータ作成手段９８が例えばマイクロプロセッサから構成され、記憶手段１００が例えばハードディスクドライブ装置（ＨＤＤ）から構成される。また、外部記憶装置８３は例えばハードディスクドライブ装置から構成され、第１〜第３メモリ部１０２，１０４，１０６を有している。例えば、第１メモリ部１０２にはシステムコンピュータ４から送られてくる受験者データベース５４の受験者情報が登録され、第２メモリ部１０４にはシステムコンピュータ４から送られてくる試験問題データベース６０の試験問題情報が登録され、また第３メモリ部１０６にはその試験校６における各種情報、その試験校６で受けた受験者の個人情報などが登録される。尚、パソコンシステム８４ａ〜８４ｄは、パソコンシステム８と同様の構成である。
【００２９】
次に、訓練校７８について説明すると、訓練校７８には、試験校６と同様に、パソコンシステム１０８及び記憶装置１１０が設けられ、パソコンシステム１０８が通信手段１１２を介してインターネット網１４に接続されている。パソコンシステム１０８及び記憶装置１１０は、試験校６におけるパソコンシステム８及び記憶装置８３と同様の構成でよく、またパソコンシステム１０８には、必要に応じて、ＬＡＮなどのネットワークを介して、パソコンシステム（図示せず）が接続される。
【００３０】
受験者１０について説明すると、各受験者１０が所有するパソコンシステム１２（例えば、受験者の自宅、事務所などに設置される）は通信手段１１４を介してインターネット網１４に接続されている。パソコンシステム１２は、試験校６のパソコンシステム８と同様に、パソコン本体１１６、入力手段１１８、表示手段１２０及び印刷手段１２２を備えている。
【００３１】
上述した実施形態では、理解を容易にするために、一つの試験校６、一つの訓練校７８及び３人の受験者１０を示しているが、実際のシステムでは、複数の試験校６及び訓練校７８が存在し、また受験者１０も多数存在する。
【００３２】
次に、上述した教育支援システムによる教育支援の流れを説明する。図１及び図２とともに、図４及び図５を参照して、この教育支援システムを利用して例えば資格認定試験（例えば、会計ソフトの資格認定試験）を受けようとする受験者１０は、受験者用端末装置としてのパソコンシステム１２を用いて試験を申し込むようになる（ステップＳ１）。この試験の申込みは、例えば、図５に示すように行われる。即ち、受験者１０は、所有するパソコンシステム１２を利用して通信手段１１４、インターネット網１４及び通信手段２２を介して試験管理センター２のシステムコンピュータ４のアクセスし、受験に必要な受験情報を入手する（ステップＳ１−１）。この受験情報の入手は、システムコンピュータ１２の入力手段１１８を入力操作すればよく、かく入力操作すると、システムコンピュータ４のデータ読出し手段２４は受験情報データベース４０から所要の受験情報を読み出し、読み出した受験情報をインターネット網１４を介して受験者１０のパソコンシステム１２に送信し、この送信された受験情報が表示手段１２０に表示される。
【００３３】
入手した受験情報を検討して資格認定試験（会計ソフトの資格認定試験の例えば中級会計）を受ける場合、受験者１０は試験申込みのデータを入手するようになる（ステップＳ１−２）。申込みデータの入手は、入力手段１１８を入力操作すればよく、かく入力操作すると、システムコンピュータ４のデータ読出し手段２４が書式データベース４２に登録されている申込み書式を読み出し、読み出した申込み書式をインターネット網１４を介してパソコンシステム１２に送信する。そして、受験者１０は受信した申込み書式に入力手段１１８により所定の情報を入力し（ステップＳ１−３）、申込み書式に所定の個人情報などを入力した後に、これらの個人情報などをシステムコンピュータ４に送信して資格検定試験の申込みを行う（ステップＳ１−４）。受験者１０の個人情報とは、氏名、年齢、パスワード、住所などであり、これらとともに受験しようとする資格認定試験（例えば、中級会計）、受験を受ける希望の試験校、受験を受けようとする日時などの情報が入力される。この受験者情報がシステムコンピュータ４に送られると、データ作成手段２６はこの受験情報に受験者番号を付与し、データ登録手段２６はこの受験者番号とともに受験者情報をサーバ１６の受験者データベース５４に登録し、このようにして受験者の受験申込みが受理され（ステップＳ１−５）、今後、この受験者１０に関する各種情報は、この受験者番号でもって管理される。
【００３４】
このように受験申込みが受理されると、受験者１０が申し込んだ試験校データに基づいて、データ選定手段３０（試験校選定手段として機能する）が試験校データベース５０に予め登録された試験校６から申し込んだ特定試験校を選定し（ステップＳ１−６）、システムコンピュータ４はこの試験校６に申し込んだ受験者１０の受験者情報を送り（ステップＳ１−７）、また申し込んだ受験者１０には受験を正式に受理したことを知らせる受験受理通知を通知し（ステップＳ１−８）、このようにして受験者１０による受験の申込みが完了する（ステップＳ１−９）。尚、受験者１０に通知される受験受理通知には、受験者番号、試験を受ける特定試験校６、受験時間などが示され、これらの情報とともに通知される。
【００３５】
上述したようにして受験申込みが受理されると、受験者１０は指定された日時に特定試験校６で申し込んだ資格認定試験（例えば、会計ソフトの中級会計）の試験を受けるようになる（ステップＳ２）。この試験の実施は、例えば、図６に示すようにして行われる。試験を実施する特定試験校６では、上述したように、システムコンピュータ４から送られてきた受験者情報を受信し、パソコンシステム１２のデータ登録手段９６はこの受験者情報を記録装置８３の第１メモリ部１０２に登録する（ステップＳ２−１）。また、この受験情報とともにシステムコンピュータ４から資格認定試験の試験問題が送られてき、データ登録手段９６は送られてきた試験問題を、第１メモリ部１０２に登録された受験者情報に関連付けての第２メモリ部１０４に登録する（ステップＳ２−２）。受験者１０の資格認定試験が例えば中級会計（又は初級会計、上級会計、給与計算、販売計算、インストラクタ）であると、システムコンピュータ４のデータ選定手段３０（試験問題選定手段として機能する）は、サーバ１６の試験問題データベース６０に登録された多数の中級会計（又は初級会計、上級会計、給与会計、販売会計、インストラクタ）についての試験問題から特定試験問題を選定し、選定した特定試験問題を試験校６のパソコンシステム８に送る。尚、このとき、受験者１０が同じ資格認定試験（中級会計）を受験したことあるときには、過去に受験した試験問題を除いた残りの試験問題から特定試験問題を選定するようにするのが望ましく、このようにすることによって、同じ試験問題となることを防止することができる。
【００３６】
試験に際しては、受験者１０は、受験者用端末装置であるパソコンシステム８４ａ（又は８４ｂ，８４ｃ）を利用して受験するようになる。受験の際には、受験者１０は受験情報、例えば受験者番号及びパスワードを入力すればよく、これら受験情報を入力する（ステップＳ２−３）と、パソコンシステム８のデータ読出し手段９４は、入力されたこれら情報に基づいて記憶装置８３の第２メモリ部１０４に登録された特定試験問題を読み出し、読み出された特定試験問題がパソコンシステム８４ａに送られ、その表示手段（図示せず）に表示される（ステップＳ２−４）。
【００３７】
受験者１０は、このように表示手段に表示した内容を見ながら（場合によっては、その内容を印刷出力した紙を見ながら）申し込んだ資格認定試験を受け（ステップＳ２−５）、パソコンシステム８４ａの入力手段（図示せず）を操作しながら特定試験問題の解答を入力し（ステップＳ２−６）、このようにして特定試験問題に対する試験が所定試験時間行われる。
【００３８】
試験時間が終了すると、ステップＳ２−７からステップＳ２−８に進み、受験者１０が入力手段（図示せず）を操作して、入力した受験解答をパソコンシステム８及びインターネット網１４を介してシステムコンピュータ４に送信する（ステップＳ２−８）。かくすると、システムコンピュータ４のデータ選定手段３０（試験解答選定手段として機能する）は、受験者１０が受験した特定試験問題に対応する特定試験解答を試験解答データベース６２から選定し、受験解答採点手段３２は、選定した特定試験解答と受験者１０の受験解答とを対比して各問題についての受験解答が正しいかを判定し、この判定結果に基づいて採点を行う（ステップＳ２−９）。
【００３９】
そして、合否判定手段３４は受験解答採点手段３２による採点結果に基づいて合否の判定を行う（ステップＳ２−１０）。合格判定手段３４による合否の判定は、合否判定基準としての合格基準得点（例えば、１００点満点の６５点に設定される）を基準にして行われ、合否判定手段３４は、上記採点結果（採点得点）が合格基準得点（例えば６５点）以上であると合格と判定し、上記採点結果が合格基準得点未満であると不合格と判定する。受験者１０が受験した特定試験問題についての採点結果及び合否結果はサーバ１６の受験経歴データベース５６に登録される。
【００４０】
合否判定手段３４が不合格と判定した場合、ステップＳ３からステップＳ４に進み、システムコンピュータ４の通知作成手段３６は不合格判定結果に基づいて不合格通知を作成し、この不合格通知がインターネット網１４を介して試験校６のパソコンシステム８に送信され（ステップＳ４）、記憶装置８３の第３メモリ部１０６に受験者１０の個人情報として登録されるとともに、受験者１０のパソコンシステム８４ａに送られ、受験者１０は受験終了後直ちに不合格を知るようになる。尚、この不合格通知の内容は受験履歴データベース５６に送られて登録される。
【００４１】
不合格通知を受けた受験者１０は、再度この資格認定試験（例えば、中級会計）を受けなければならないが、再受験に際して効率的な勉強が望まれ、この教育支援システムでは、次のようにして効率的な勉強を支援するように構成されている。即ち、不合格試験について再勉強する際に、訓練校７８での勉強を希望する場合、ステップＳ５からステップＳ６に進み、訓練校７８で講義を受けて勉強するようになる。また、訓練校７８に代えて、この教育支援システムの弱点克服カリキュラムによる勉強を希望する場合、ステップＳ５からステップＳ７を経てステップＳＳ８に移り、システムによる弱点克服を自分で勉強するようになる。
【００４２】
訓練校７８での勉強は、次のようにして行われる。主として図１、図２及び図７を参照して、特定試験問題（例えば、中級会計）の試験結果により訓練校７８による訓練を希望する受験者１０は、合否判定通知の受領後に、この特定試験問題についてどの分野が充分に理解していないかを認識するために、試験校６のパソコンシステム８４ａを操作して不合格試験結果データを取得し（ステップＳ６−１）、またこの試験結果の解析情報を取得する（ステップＳ６−２）。即ち、データ読出し手段２４は、受験経歴データベース５６から今回の受験結果情報を読み出し、読み出した受験結果情報をインターネット網１４を介して試験校６のパソコンシステム８に送信し、このパソコンシステム８を介して受験者１０が操作するパソコンシステム８４ａに送る。また、試験結果解析手段３８は、読み出した受験結果情報を所要の通りに解析し、受験した特定試験問題についてどの分野の問題に誤り、空欄などが多いか（換言すると、どの分野の知識、理解が不足し、弱点個所となっているか）を解析し、この解析結果に基づいて、データ選定手段３０（解答解析情報選定手段として機能する）は解答解析データベース６４から特定解答解析情報を選定し、選定した特定解答解析情報を受験結果情報と同様にパソコンシステム８を介して受験者１０が操作するパソコンシステム８４ａに送る。
【００４３】
この特定試験の結果情報及び解答解析情報に基づいて、データ選定手段３０（受講課目情報選定手段として機能する）は、受験者１０が訓練校７８で受講するのが好ましい特定受講課目情報を選定し（ステップＳ６−３）、その特定受講課目情報を試験校６の受験者用のパソコンシステム８４ａに送り、受験者１０は送られてきた特定受講課目情報を参考に受講する受講案内を入手し（ステップＳ６−４）、この受講案内を見ながら訓練校７８における受講を申し込むか否かを決定する。このように特定試験の試験結果及びその解析結果に基づいて特定受講課目情報を選定するので、特定受講課目情報には受験者１０の理解不足の分野の課目が重点的に含まれており、この受講課目情報に基づいて受講することによって、資格検定試験について弱点克服のための効率的な講義を受けことができる。尚、受講案内の入手は、試験校６の受講者用のパソコンシステム８４ａの入力手段を操作して行うことができ、入手のための操作をすると、システムコンピュータ４のデータ読出し手段２４は訓練校データベース５２から所望の訓練校情報を読み出し、読み出した訓練校情報をインターネット網１４及び試験校６のパソコンシステム８を介して受験者１０のパソコンシステム８４ａに送る。
【００４４】
訓練校７８での受講を申し込む場合、ステップＳ６−５からステップＳ６−６に進み、資格認定試験の申込みと同様に、パソコンシステム８４ａを操作して受講申込み書式を入手すればよく、かくすると、データ読出し手段２４が書式データベース４２から受講申込み書式を読み出し、読み出した受講申込み情報を試験校６のパソコンシステム８４ａに送る。受験者１０は、この受講申込み書式に受講に必要な情報、例えば氏名、住所、受講課目などを入力し（ステップＳ６−７）、入力した受講申込みデータをインターネット網１４を介してシステムコンピュータ４に送信すればよく、かく送信することによって、訓練校７８での受講を申し込むことができる（ステップＳ６−８）。
【００４５】
このように受講を申し込むと、システムコンピュータ４のデータ作成手段２６はこの受験情報に訓練校受講番号を付与し、データ登録手段２６はこの訓練校受講番号とともに受験者情報をサーバ１６の勉強履歴データベース５８に登録し、このようにしてこの受験者の訓練校受講申込みが受理される（ステップＳ６−９）。
【００４６】
このように受講申込みが受理されると、システムコンピュータ４のデータ作成手段２８は訓練校受講の受理の通知を作成し、作成された通知を上述したと同様にして受験者用のパソコンシステム８４ａに送るとともに（ステップＳ６−１０）、この通知内容をインターネット網１４を介して訓練校７８のパソコンシステム１０８に送り、かく送給された受講情報が記憶装置１１０に登録され、また訓練校７８においても受験者１０の受講情報として管理される。またデータ選定手段３０は訓練校データベース５２から申し込んだ受講に関連する訓練校受講情報、例えば訓練校の場所、受講課目の講師、受講時間などに関する情報を選定し、選定した訓練校情報を上述したと同様にしてパソコンシステム８４ａに送る（ステップＳ６−１１）。
【００４７】
このようにして訓練校７８の受講申込みが行われ、受験者１０は訓練校７８にて講師による受講を受け（ステップＳ６−１２）、特定試験問題において弱点個所として指摘された分野を効率良く勉強することができる。訓練校７８における受講が終了すると、訓練校７８において模擬試験が行われ（ステップＳ６−１３）、この模擬試験でもって訓練校７８における受講が終了し（ステップＳ６−１４）、その後、受験者１０は、前回不合格であった資格認定試験（例えば、中級会計）を再受験するようになる。尚、受験者１０が受講した受講課目の成績などについては、システムコンピュータ４に送信してサーバ１６の勉強履歴データベース５８に登録するようにしてもよい。
【００４８】
また、他の勉強方法としてのシステムによる弱点克服の勉強は、次のようにして行われる。主として図１、図２、図８及び図９を参照して、特定試験問題（例えば、中級会計）の試験結果によりシステムによる弱点克服のカリキュラムを希望する受験者１０は、合否判定通知の受領後に、訓練校７８での受講を申し込む場合と同様に、この特定試験問題についてどの分野が充分に理解していないかを認識するために、試験校６のパソコンシステム８４ａを操作して不合格試験結果データを取得し（ステップＳ８−１）、またこの試験結果の解析情報を取得する（ステップＳ８−２）。
【００４９】
そして、この特定試験の結果情報及び解答解析情報に基づいて、データ選定手段３０（カリキュラム情報選定手段として機能する）は、カリキュラム情報データベース７５から特定試験問題において理解が不充分であった個所（換言すると、正解率が低い分野）に関するカリキュラム情報、即ち弱点克服のための特定カリキュラム情報を選定し（ステップＳ８−３）、この特定カリキュラム情報を試験校６のパソコンシステム８４ａに送信し、受験者１０はこの弱点克服の特定カリキュラム情報を参考に勉強するカリキュラム案内を入手し（ステップＳ８−４）、カリキュラム案内を見ながらシステムによるに弱点克服カリキュラムを申し込むか否かを決定する。このように特定試験の試験結果及びその解析結果に基づいて弱点克服のための特定カリキュラム情報を選定するので、特定カリキュラム情報には受験者１０の理解不足の分野のカリキュラムが重点的に含まれており、このカリキュラム情報に基づいて勉強することによって、資格検定試験について弱点克服の効率的な勉強を行うことができる。尚、カリキュラム案内の入手は、上述したと同様に、試験校６の受講者用のパソコンシステム８４ａを操作して行うことができ、かく操作すると、システムコンピュータ４のデータ読出し手段２４はカリキュラムデータベース６８から所望のカリキュラム情報を読み出し、読み出されたカリキュラム情報がインターネット網１４及び試験校６のパソコンシステム８を介して受験者１０のパソコンシステム８４ａに送られる。
【００５０】
弱点克服カリキュラムを申し込む場合、ステップＳ８−５からステップＳ８−６に進み、訓練校７８での受講の申込みと同様に、パソコンシステム８４ａを操作して申込み書式を入手すればよく、かくすると、データ読出し手段２４が書式データベース４２から弱点克服カリキュラム申込み書式を読み出し、読み出したカリキュラム申込み情報を試験校６のパソコンシステム８４ａに送る。受験者１０は、この受講申込み書式にカリキュラム受講に必要な情報、例えば、受験者番号、パスワード、氏名、住所、カリキュラム課目などを入力し（ステップＳ８−７）、入力したカリキュラム申込みデータをインターネット網１４を介してシステムコンピュータ４に送信すればよく、かく送信して弱点克服カリキュラムを申し込むことができる（ステップＳ８−８）。
【００５１】
このようにカリキュラムを申し込むと、システムコンピュータ４のデータ登録手段２６はこの受験者情報をサーバ１６の勉強履歴データベース５８に登録するとともに、受講進捗データベース７４に登録し、このようにしてこの受験者の弱点克服カリキュラムの申込みが受理される（ステップＳ８−９）。
【００５２】
このようにカリキュラムの申込みが受理されると、システムコンピュータ４のデータ作成手段２８はカリキュラム受講の受理の通知を作成し、作成された通知を上述したと同様にして試験校６のパソコンシステム８を介して受験者用のパソコンシステム８４ａに送る（ステップＳ８−１０）とともに、そのデータ登録手段９６はこのカリキュラム受講情報を記憶装置８３の第３メモリ部１０６に登録し、試験校６にても受験者１０のカリキュラム受講情報が管理される。
【００５３】
このようにして弱点克服カリキュラムの申込みが行われると、システムのカリキュラムに沿った勉強が次のようにして行われ（ステップＳ８−１０）、そのカリキュラムの進捗状態は、受講進捗データベース７４に登録された進捗情報に基づいて行われる。主として図２及び図９を参照して、弱点克服カリキュラムの勉強を行うときには、例えば、受験者１０が所有するパソコンシステム１２を用いて自宅などで行うことができ、勉強を開始する際には、パソコンシステム１２の入力手段１１８を操作してシステムコンピュータ４にアクセスし、受講進捗情報を入手する（ステップＳ８−１１−１）。そして、受講進捗情報から受講するするカリキュラム情報を入力する（ステップＳ８−１１−２）。例えば、特定受講カリキュラムが例えば２０レッスンから構成され、今回受講するレッスンが受講進捗情報から例えば第５回目とすると、第５回目のレッスンをクリックして入力すればよく、かくすると、データ選定手段３０（カリキュラム選定手段として機能する）は、受講カリキュラムにおける第５回目レッスンデータをカリキュラムデータベース６８から選定し、選定したレッスンデータをパソコンシステム１２に送信する。従って、申し込んだ受験者１０は受講するレッスンデータ（即ち、勉強する講義情報）をインターネット網１４を介して入手し（ステップＳ８−１１−３）、パソコンシステム１２を用いて勉強するようになる（Ｓ８−１１−４）。
【００５４】
このようにして今回の講義勉強、例えば一レッスンの勉強が終了すると、受験者１０は入力手段１１８により今回勉強した個所について受講済み情報を入力し（ステップＳ８−１１−６）、このように入力すると、この入力情報がシステムコンピュータ４に送られ、データ登録手段２６はこの受講済み情報を受講進捗データベース７４に登録し、この受講進捗データベース７４のデータ内容が更新される。このように受講毎に受講進捗情報が更新されるので、この受講進捗データベース７４の進捗データを見ることにより、受講中のカリキュラムの進捗状況を容易に把握することができる。
【００５５】
このようにして申し込んだ弱点克服カリキュラムについての勉強を最後（例えば、第２０回目のレッスン）まで行うと、ステップＳ８−１１−８からステップＳ８−１２に進み、受講したカリキュラムの内容についての模擬試験が行われる（ステップＳ８−１２）。データ選定手段３０（模擬試験情報選定手段として機能する）は、受講したカリキュラムについての特定模擬試験を模擬試験データベース７０から選定し、選定した模擬試験データを受験者１０のパソコンシステム１２に送り、受験者１０はカリキュラムの受講と同様に、例えば自宅にて模擬試験を受け、模擬試験の終了後にその解答をシステムコンピュータ４に送信する。かくすると、データ選定手段３０（模擬試験解答選定手段として機能する）がこの模擬試験に対応する模擬試験解答を試験解答データベース７０から選定し、受験解答採点手段３２はこの模擬試験における採点手段としても機能し、受験者からの模擬試験解答と試験解答ベータベース７０からの模擬試験解答とを対比して正しいかを判定して採点を行い、データ登録手段２６はこの採点結果を勉強経歴データベース５８に登録するとともに、インターネット網１４を介してパソコンシステム１２に送り、受講者１０にその採点結果を知らせる。
【００５６】
カリキュラム内容についての模擬試験を行うと、申し込んだカリキュラムについての勉強が全て終了し（ステップＳ８−１３）、その後、受験者１０は、前回不合格であった資格認定試験（例えば、中級会計）を再受験するようになる。
【００５７】
これに対して、合否判定手段３４が合格と判定した場合、ステップＳ３からステップＳ９に移り、システムコンピュータ４の通知作成手段３６は合格判定結果に基づいて合格通知を作成し、この合格通知がインターネット網１４を介して試験校６のパソコンシステム８に送られ（ステップＳ９）、試験校６の記憶装置８３の第３メモリ部１０６に受験者１０の個人情報として登録される。また、受験者１０のパソコンシステム８４ａに送られ、受験者１０は受験終了後直ちに合格を知るようになる。尚、この合格情報は、データ登録手段２６により受験経歴データデータベース５６に登録される。
【００５８】
この合格通知を受けた受験者１０は、この資格認定試験（例えば、中級会計）を受ける必要がないので、この教育支援システムでは、次のようにして受験者１０の能力のステップアップを図っている。主として図１０を参照して、特定試験問題（例えば、中級会計）に合格した受験者１０は、合格通知の受領後に、例えば弱点克服のカリキュラムを申し込む場合と略同様にして、試験校６のパソコンシステム８４ａを操作して推奨試験の案内を得ることができる。即ち、システムコンピュータ４のデータ選定手段３０（推奨試験情報選定手段として機能する）は、受験履歴データベース５６からその受験者１０の各種資格認定試験の合格情報を取得し（ステップＳ１０−１）、この合格情報に基づいて推奨試験データベース７７から推奨試験に関する特定推奨試験情報を選定し（ステップＳ１０−２）、選定した推奨試験情報を試験校６のパソコンシステム８４ａに送信する（ステップＳ１０−３）。例えば、資格認定試験として中級会計を合格した受験者には、次の推奨試験として上級会計及び給与計算を推奨し、このように次の推奨試験を推奨することによって、合格した受験者１０は次の目標が明確になり、自己のステップアップを効率的に行うことができる。
【００５９】
このとき、合格した資格認定試験のみに基づいて推奨試験情報を選定するようにしてもよいが、合格した資格認定試験に加えて過去に合格した資格認定試験に基づいて推奨試験情報を選定するのが好ましく、このようにすることによって、よりこまやかに推奨試験情報を案内することができる。例えば、過去に給与計算を合格し、今回中級会計を合格した受験者１０には、過去の合格試験を考慮し、受験の必要のない給与計算に代えて販売計算を含め、今回の合格時に上級会計及び販売計算を推奨試験として案内するようにするのが好ましい。
【００６０】
以上、本発明の教育支援システムの一実施形態について説明したが、本発明はかかる実施形態に限定されるものではなく、本発明の範囲を逸脱することなく種々の変形乃至修正が可能である。
【００６１】
例えば、上述した実施形態では、受験者１０が試験後に試験校６の受験者用パソコンシステム８４ａ（８４ｂ，８４ｃ）を操作して訓練校７８による勉強、システムによる弱点克服の勉強などを申し込むようにしているが、このような申込みに加えて、受験者１０が所有するパソコンシステム１２を用いても申込みができるようにしてもよい。
【００６２】
また、例えば、図示の実施形態では、会計ソフトの資格認定試験に適用して説明したが、このようなものに限定されず、文書作成ソフト、表計算ソフト、パソコンのＯＳソフト、各種業務ソフトなどの資格認定試験、資格検定試験など教育支援システムとして広く適用することができる。
【００６３】
また、例えば、図示の実施形態では、試験校６及び訓練校７８を含めて教育支援システムを構築しているが、簡易なシステムとして、訓練校７８を省略して、試験管理センター２と試験校６を主体として教育支援システムを構築するようにしてもよい。
【産業上の利用可能性】
【００６４】
この教育支援システムは、資格認定試験、資格検定試験などの試験と関連付けられたものであり、不合格の受験者に対して試験の受験解答に基づいて弱点個所、即ち理解不充分な分野を分析し、その分析結果を受験者に示して効率的な教育の支援を行うものである。この教育の支援の一つとして、例えば弱点克服のカリキュラムがあり、弱点個所についてのカリキュラムをパソコンシステムを用いて勉強することによって、自宅においける勉強でもって効率的にレベルアップを図ることができ、不合格であった試験の再受験を支援するための勉強に最適なシステムとして提供することができる。この教育支援システムは、会計ソフト、文書作成ソフトなどの各種ソフトの認定試験制度などに好都合に適用することがきる。そして、各種ソフトに適用した場合、そのソフトの内容及びそのソフトの基礎となる一般知識を理解し、そのソフトの習熟度を短時間に上げることができる。
【図面の簡単な説明】
【００６５】
【図１】本発明に従う試験支援システムの一形態を簡略的に示すシステム図である。
【図２】図１のシステムにおける試験管理センターに設置されるシステムコンピュータ及びサーバを簡略的に示すブロック図である。
【図３】図１のシステムにおける試験学校に設置されるパソコンシステム及び記憶装置を簡略的に示すブロック図である。
【図４】図１の教育支援システムにおける受験者の教育支援の全体の流れを示すフローチャートである。
【図５】図４のフローチャートにおける試験の申込みの流れを具体的に示すフローチャートである。
【図６】図４のフローチャートにおける試験の実施の流れを具体的に示すフローチャートである。
【図７】図４のフローチャートにおける訓練校での勉強の流れを具体的に示すフローチャートである。
【図８】図４のフローチャートにおける弱点克服の勉強の流れを具体的示すフローチャートである。
【図９】図８のフローチャートにおけるカリキュラムの勉強の流れを具体的に示すフローチャートである。
【図１０】図４のフローチャートにおける次の推奨試験の案内の流れを具体的に示すフローチャートである。
【符号の説明】
【００６６】
４  システムコンピュータ
８，１２  パソコンシステム
１４  インターネット網
１６  サーバ
２４  データ読出し手段
２６  データ登録手段
２８  データ作成手段
３０  データ選定手段
３２  受験解答採点手段
３４  合否判定手段
３８  試験結果解析手段
４０  受験情報データベース
４４  受験者関連データベース
４６  試験関連データベース
４８  カリキュラム関連データベース
７３  受講課目情報データベース
７５  カリキュラム情報データベース
７７  推奨試験データベース
【図１】
2005164810.tif 000003
【図２】
2005164810.tif 000004
【図３】
2005164810.tif 000005
【図４】
2005164810.tif 000006
【図５】
2005164810.tif 000007
【図６】
2005164810.tif 000008
【図７】
2005164810.tif 000009
【図８】
2005164810.tif 000010
【図９】
2005164810.tif 000011
【図１０】
2005164810.tif 000012